(57)【特許請求の範囲】
【請求項１】
所定の放送信号を、前記放送信号に関連する関連データを入手するために必要な入手情報が配置された付加情報とともに受信し、ユーザからの指示に応じて前記付加情報を記憶する受信装置、前記受信装置を遠隔制御する遠隔制御装置、および外部装置により構成される情報処理システムであって、
前記遠隔制御装置は、
前記受信装置に記憶されている前記入手情報を受信する第１の受信手段と、
前記入手情報を記憶する記憶手段と、
前記入手情報を前記外部装置へ送信する第１の送信手段と
を備え、
前記外部装置は、
前記遠隔制御装置から前記入手情報を受信する第２の受信手段と、
前記第２の受信手段により受信された前記入手情報に基づいてインターネットに接続し、前記関連データを入手する通信手段と
を備える
ことを特徴とする情報処理システム。
【請求項２】
前記第１の送信手段は、前記入手情報を、有線または無線で送信する
ことを特徴とする請求項１に記載の情報処理システム。
【請求項３】
前記記憶手段は着脱可能になされている
ことを特徴とする請求項１に記載の情報処理システム。
【請求項４】
前記受信装置は、
前記所定の放送信号を前記付加情報とともに受信する第３の受信手段と、
入力される音声を識別する識別手段と、
前記識別手段が所定の音声が入力されたと識別したときに、前記第３の受信手段により受信された前記付加情報に配置された前記入手情報を、前記遠隔制御装置へ送信する第２の送信手段と
を備えることを特徴とする請求項１に記載の情報処理システム。
【請求項５】
前記所定の放送信号は、ゲームソフトの場面の信号であり、
前記関連データは、前記ゲームソフトのコンピュータプログラムである
ことを特徴とする請求項１に記載の情報処理システム。
【請求項６】
所定の放送信号を、前記放送信号に関連する関連データを入手するために必要な入手情報が配置された付加情報とともに受信し、ユーザからの指示に応じて前記付加情報を記憶する受信装置、前記受信装置を遠隔制御する遠隔制御装置、および外部装置により構成される情報処理システムの情報処理方法であって、
前記遠隔制御装置は、
前記受信装置に記憶されている前記入手情報を受信し、
前記入手情報を記憶手段に記憶させ、
前記入手情報を前記外部装置へ送信し、
前記外部装置は、
前記遠隔制御装置から前記入手情報を受信し、
その入手情報に基づいてインターネットに接続し、前記関連データを入手する
ことを特徴とする情報処理方法。
【請求項７】
前記遠隔制御装置は、前記入手情報を、有線または無線で送信する
ことを特徴とする請求項６に記載の情報処理方法。
【請求項８】
前記記憶手段は着脱可能になされている
ことを特徴とする請求項６に記載の情報処理方法。
【請求項９】
前記受信装置は、
前記所定の放送信号を前記付加情報とともに受信し、
入力される音声を識別し、
所定の音声が入力されたと識別されたときに、受信された前記付加情報に配置された前記入手情報を、前記遠隔制御装置へ送信する
ことを特徴とする請求項６に記載の情報処理方法。
【請求項１０】
前記所定の放送信号は、ゲームソフトの場面の信号であり、
前記関連データは、前記ゲームソフトのコンピュータプログラムである
ことを特徴とする請求項６に記載の情報処理方法。
【請求項１１】
所定の放送信号を、外部装置がインターネットに接続して前記放送信号に関連する関連データを入手するために必要な入手情報が配置された付加情報とともに受信し、ユーザからの指示に応じて前記付加情報を記憶する受信装置を遠隔制御する遠隔制御装置であって、
前記受信装置に記憶されている前記入手情報を受信する第１の受信手段と、
前記入手情報を記憶する記憶手段と、
前記入手情報を前記外部装置へ送信する第１の送信手段と
を備えることを特徴とする遠隔制御装置。
【請求項１２】
前記第１の送信手段は、前記入手情報を、有線または無線で送信する
ことを特徴とする請求項１１に記載の遠隔制御装置。
【請求項１３】
前記記憶手段は着脱可能になされている
ことを特徴とする請求項１１に記載の遠隔制御装置。
【請求項１４】
前記受信装置は、
前記所定の放送信号を前記付加情報とともに受信する第２の受信手段と、
入力される音声を識別する識別手段と、
前記識別手段が所定の音声が入力されたと識別したときに、前記第２の受信手段により受信された前記付加情報に配置された前記入手情報を、前記遠隔制御装置へ送信する第２の送信手段と
を備えることを特徴とする請求項１１に記載の遠隔制御装置。
【請求項１５】
前記所定の放送信号は、ゲームソフトの場面の信号であり、
前記関連データは、前記ゲームソフトのコンピュータプログラムである
ことを特徴とする請求項１１に記載の遠隔制御装置。
【発明の詳細な説明】
【０００１】
【発明の属する技術分野】
本発明は、情報処理システムおよび情報処理方法、並びに遠隔制御装置に関し、特に、例えば、ラジオ放送やテレビジョン放送などで放送された番組としての曲などの音声データ、あるいは映画などの画像データを、容易に入手することができる情報処理システムおよび情報処理方法、並びに遠隔制御装置に関する。
【０００２】
【従来の技術】
例えば、ラジオ放送などにおいて放送された番組は、ラジオ受信機によって受信することができる。
【０００３】
【発明が解決しようとする課題】
ところで、ラジオ放送においては、番組が歌番組であれば、その番組としての曲が、放送信号として放送（送信）される。ここで、放送信号には、アナウンサ（ディスクジョッキ）の音声や、効果音、ジングル等も含まれることがあり、従って、曲自体（例えば、販売用のＣＤ（Compact Disc）等に記録された、その曲以外の音が含まれていないもの（以下、適宜、正式曲データという））は、放送信号に関連するということができるので、関連データということができる。
【０００４】
ユーザは、ラジオ放送において放送された曲（その曲以外の、例えば、アナウンサの音声等の雑音が含まれるもの（以下、適宜、放送用曲データという））を、ラジオ受信機によって聴き、その曲を気に入って欲しくなるときがある。この場合、その曲（正式曲データ）が記録されたＣＤを、販売店に購入しに行く方法がある。
【０００５】
しかしながら、ユーザが欲する曲が記録（記憶）されたＣＤを購入するには、ユーザが、そのタイトルや歌手名などを知っている必要があり、その曲が、例えば、新曲である場合には、ユーザが、そのタイトル等を知らないことが多い。また、ラジオ放送においては、一般に、アナウンサが、曲のタイトルや歌手名等を紹介するが、音声による紹介では、聞き逃したり、聞き間違えたりすることがある。
【０００６】
そこで、近年、放送が開始された、いわゆる見えるラジオ放送では、本来の番組としての放送信号の放送（以下、適宜、本放送という）の他に、その放送信号に付加的な付加情報を、データ放送によって放送することが行われている。データ放送による付加情報には、曲のタイトルや歌手名が含められることがあり、従って、ユーザは、その付加情報の表示を見ることで、タイトルや歌手名を認識することができる。
【０００７】
しかしながら、見えるラジオ放送において放送される付加情報は、ユーザが見逃す場合や、記憶し損なう場合、放送との関連性がわからなくなる場合がある。
【０００８】
本発明は、このような状況に鑑みてなされたものであり、例えば、ラジオ放送やテレビジョン放送などで放送された番組としての曲などの音声データ、あるいは映画などの画像データを、容易に入手することができるようにするものである。
【０００９】
【課題を解決するための手段】
本発明の情報処理システムは、遠隔制御装置が、ユーザからの指示に応じて受信装置に記憶されている入手情報を受信する第１の受信手段と、入手情報を記憶する記憶手段と、入手情報を外部装置へ送信する第１の送信手段とを備え、外部装置が、遠隔制御装置から入手情報を受信する第２の受信手段と、第２の受信手段により受信された入手情報に基づいてインターネットに接続し、関連データを入手する通信手段とを備えることを特徴とする。
本発明の情報処理方法は、遠隔制御装置が、ユーザからの指示に応じて受信装置に記憶されている入手情報を受信し、入手情報を記憶手段に記憶させ、入手情報を外部装置へ送信し、外部装置が、遠隔制御装置から入手情報を受信し、その入手情報に基づいてインターネットに接続し、関連データを入手することを特徴とする。
上記構成の情報処理システムおよび情報処理方法においては、遠隔制御装置が、ユーザからの指示に応じて受信装置に記憶されている入手情報を受信し、入手情報を記憶手段に記憶させ、入手情報を外部装置へ送信し、外部装置が、遠隔制御装置から入手情報を受信し、その入手情報に基づいてインターネットに接続し、関連データを入手するようになされている。
本発明の遠隔制御装置は、ユーザからの指示に応じて受信装置に記憶されている入手情報を受信する第１の受信手段と、入手情報を記憶する記憶手段と、入手情報を外部装置へ送信する第１の送信手段とを備えることを特徴とする。
【００１０】
上記構成の遠隔制御装置においては、第１の受信手段は、ユーザからの指示に応じて受信装置に記憶されている入手情報を受信するようになされている。記憶手段は、入手情報を記憶し、第１の送信手段は、入手情報を外部装置へ送信するようになされている。
【００１１】
【発明の実施の形態】
図１は、本発明を適用したブックマークラジオ（ＢＭＲ（Book Mark Radio））システム（システムとは、複数の装置が論理的に集合した物をいい、各構成の装置が同一筐体中にあるか否かは問わない）の一実施の形態の構成例を示している。
【００１２】
送信装置１は、例えば、ディジタルラジオ放送の放送局として機能し、伝送媒体２としての、例えば、地上波を介して、ディジタルラジオ放送を行うようになされている。
【００１３】
送信装置１が行うディジタルラジオ放送は、本放送とデータ放送とから構成されており、本放送によるデータ（以下、適宜、本放送データという）には、一般の番組として放送される曲のデータ（放送用曲データ）や、スポンサの広告（いわゆるコマーシャル）のデータなどが含まれている。また、データ放送によるデータ（以下、適宜、データ放送データという）には、後述するサンプル音声やジャケット写真のデータ、テキストデータ、ＥＭＤ（Electric Music Distribution）リンク、圧縮暗号化データ、静止画クーポンのデータなどが含まれている。これらの本放送データおよびデータ放送データは、ユーザ端末３で受信される。
【００１４】
ユーザ端末３は、例えば、携帯型または据え置き型のラジオ受信機や、車載用のラジオ受信機（いわゆるカーオーディオ機器）などで構成され、送信装置１からの本放送データが受信されて、音声で出力される。また、ユーザ端末３では、データ放送データが受信され、必要に応じて、音声で出力、あるいは表示される。
【００１５】
即ち、データ放送データには、本放送データで放送されている曲の、例えば、始まりの部分や、いわゆるさびの部分などの、ユーザに対してサンプルとして提供されるサンプル音声が含まれている。また、データ放送データには、本放送データで放送されている曲が記録された、例えば、ＣＤなどのジャケット写真や、その曲を歌っている歌手の写真（アーティスト写真）、さらには、その曲のタイトル、歌手名、レコード会社（制作会社）の会社名としてのテキストデータが含まれている。
【００１６】
さらに、データ放送データには、放送用曲データに対応する正式曲データを圧縮し、暗号化した圧縮暗号化データも含まれている。
【００１７】
ユーザ端末３では、そのようなデータ放送データが受信され、ユーザの操作に応じて、ジャケット写真、曲のタイトル、歌手名などが表示され、あるいはサンプル音声などが出力される。
【００１８】
ユーザは、本放送による放送用曲データを聴き、興味をもったとき、いわゆるブックマークを付けるように（本にしおりをはさむように）、ユーザ端末３を操作する。さらに、その放送用曲データを聴いている最中や、それを聞き終わった後、サンプル音声などを聴いて、その曲の正式曲データを欲するとき、圧縮暗号化データを復号するための復号キーを要求するように、ユーザ端末３を操作する。ユーザ端末３は、その要求に応じて、正式曲データを管理、配信しているＥＭＤサービス業者のＥＭＤサーバ５に対して、復号キーを要求する。
【００１９】
即ち、データ放送データに含まれるＥＭＤリンクは、正式曲データを提供している提供場所にアクセスするのに用いられるアクセス情報としての、例えば、ＥＭＤサーバ５のＩＰ（Internet Protocol）アドレスやＵＲＬ（Uniform Resource Locator）などを含んでいる。ユーザ端末３は、このＥＭＤリンクに基づき、インターネット４を介して、ＥＭＤサーバ５にアクセスし、圧縮暗号化データを復号するための復号キーを要求する。
【００２０】
ＥＭＤサーバ５は、ユーザ端末３から、復号キーの要求を受信すると、必要な課金処理を行い、復号キーを、インターネット４を介して、ユーザ端末３に送信する。ユーザ端末３は、ＥＭＤサーバ５からの復号キーを受信し、その復号キーを用いて、圧縮暗号化データを、正式曲データ（が圧縮されたもの）に復号する。これにより、ユーザは、正式曲データを入手することができる。
【００２１】
一方、ＥＭＤサーバ５は、上述したように、正式曲データを管理しており、ユーザ端末３に対して、復号キーを提供する他、放送局（送信装置１）に対して、本放送データとして送信される曲のデータや、その圧縮暗号化データを提供する。また、ＥＭＤサーバ５は、復号キー（最終的には、正式曲データ）の提供の対価の徴収のための課金処理を行う。この課金処理により、後日、ユーザの銀行口座や、クレジット会社から、正式曲データの購入の代金の引き落としが行われる。また、課金は、プリペイドカードなどを利用して行われる場合もある。
【００２２】
なお、データ放送用データには、伝送媒体２の伝送容量の関係から、上述したすべてのデータを含めることができないこともあり、この場合、圧縮暗号化データは、データ放送用データに含めないようにすることができる。データ放送用データに圧縮暗号化データを含めない場合には、ユーザ端末３には、復号キーとともに、その復号キーによって復号される圧縮暗号化データを、ＥＭＤサーバ５に要求させるようにし、ＥＭＤサーバ５には、復号キーおよび圧縮暗号化データを、ユーザ端末３に送信させるようにすることができる。
【００２３】
また、データ放送用データには、いわゆるクーポン券として扱われる静止画クーポンのデータを含めることができる。この静止画クーポンは、例えば、ユーザ端末３から、復号キーを要求するときに、その要求とともに、ＥＭＤサーバ５に送信することができる。そして、ＥＭＤサーバ５において、復号キーの要求とともに、静止画クーポンを受信した場合には、課金処理の際に、代金の割引が行われる。
【００２４】
さらに、上述の場合には、ＥＭＤサーバ５に課金処理を行わせるようにしたが、課金処理は、図１において点線で示すように、課金処理を行う専用の課金サーバ６を設け、その課金サーバ６に行わせるようにすることが可能である。
【００２５】
また、データ放送用データに圧縮暗号化データを含めない場合には（含めている場合であっても構わない）、例えば、レコード店や、ビデオショップ、コンビニエンスストア、駅の売店などの販売店その他の場所に、ＥＭＤリンクに基づき、圧縮暗号化データおよび復号キーの転送を行う転送装置を設置しておくようにすることが可能である。この場合、ユーザは、転送装置が設置している場所まで行けば、代金と引き替えに、圧縮暗号化データおよび復号キーを入手することができる。
【００２６】
さらに、ＥＭＤリンクには、本放送で放送された曲が記録されたＣＤ等を販売している販売店（例えば、その販売店の店名、さらには支店名など）を記述しておくようにすることができる。この場合、ユーザ端末３において、ＥＭＤリンクを表示（出力）するようにすることで、ユーザは、欲する曲が記録されたＣＤを販売している販売店を認識し、そのＣＤを購入しに行く（販売店にアクセスする）ことができる。
【００２７】
次に、図２は、図１の送信装置１による本放送データおよびデータ放送データの伝送フォーマットを示している。ここで、日本では、約４００ｋｂｐｓ（kilo bit per second）を１セグメントとし、音声圧縮方式として、ＭＰＥＧ（Moving Picture Experts Group）  ＡＡＣ（Advanced Audio Coding）を用いて、ディジタルラジオ放送が行われる予定であり、図２は、そのようなディジタルラジオ放送を採用した場合の伝送フォーマットを示している。
【００２８】
図２では、本放送データは、ＭＰＥＧ  ＡＡＣで、１２８ｋｂｐｓ乃至１４４ｋｂｐｓ程度のステレオ信号に圧縮されて送信されている。また、データ放送データのうち、圧縮暗号化データは、正式曲データをＡＴＲＡＣ（Adaptive Transform Acoustic Coding）２方式で圧縮し、その後、所定の方式で暗号化したものとされており、その伝送レートは、２５０ｋｂｐｓ程度とされている。
【００２９】
次に、図３は、本放送データおよびデータ放送データのデータフォーマットを示している。
【００３０】
本放送データおよびデータ放送データは、所定のフレーム単位で構成され、各フレームは、時間同期をとって送信されるようになされている。
【００３１】
ここで、以下、適宜、本放送データまたはデータ放送データのフレームを、それぞれ音楽フレームまたはデータフレームという。
【００３２】
いま、ある曲の送信開始から、その送信終了までを、１の番組とすると、１の番組の本放送データは、最初に、ヘッダが配置され、そのヘッダの後に、必要な数の音楽フレームが配置され、最後に、ＥＯＦ（End Of File）が配置されて構成される。また、その番組のデータ放送データは、本放送データを構成する音楽フレームと同一数のデータフレームが配置され、最後に、ＥＯＦが配置されて構成される。そして、音楽フレームと、それに対応するデータフレームとは、同期をとって同時に送信される。
【００３３】
データフレームは、その先頭から、データフレームの検出に用いられるシンク（同期信号）、各フレームに、例えばシーケンシャルに付されるフレームナンバ、１の番組放送内に、周期的に送信されるデータが配置される１フレームサイクリックブックマーク部（以下、適宜、ブックマーク部という）、基本的に複数のデータフレームが集まって完結するデータが配置される複数フレーム完結部（以下、適宜、完結部という）、誤り訂正または検出のためのＥＣＣ（Error Correcting CodeまたはError Checking Code）が順次配置されて構成されている。
【００３４】
ブックマーク部には、本放送で放送されている曲の正式曲データを入手するために必要な情報（入手情報）が配置される。即ち、ブックマーク部には、本放送で放送されている曲の正式曲データに固有に付されたユニークな固有情報としての、例えば、６０ビットのＩＳＲＣ（International Standard Recording Code）などが配置される。また、ブックマーク部には、本放送で放送されている曲の正式曲データの内容を認識するのに役立つ認識情報としての、例えば、その曲の曲名（タイトル）や歌っている歌手の歌手名（アーティスト名）、その歌手が所属するレコード会社（制作会社）の会社名（レコード会社名）なども配置される。さらに、ブックマーク部には、本放送で放送されている曲の正式曲データを提供している提供場所（図１に示したＥＭＤサーバ５や、正式曲データが記録されたＣＤを販売している販売店など）にアクセスするのに用いられるアクセス情報としてのＥＭＤリンク（EMD Link）も配置される。
【００３５】
１の番組を構成する各データフレームのブックマーク部には、同一の情報が配置されるようになされており、従って、ブックマーク部に配置される情報は、本放送の番組が極端に短い時間で終了しない限り、複数回、周期的に送信される。
【００３６】
完結部には、例えば、次のような音声データ、画像データ、テキストデータ、その他のデータが配置される。
【００３７】
即ち、音声データとしては、例えば、上述した正式曲データを圧縮して暗号化した圧縮暗号化データや、サンプル音声が配置される。
【００３８】
画像データとしては、例えば、正式曲データが記録されたＣＤなどのジャケット写真や、その曲を歌っている歌手の写真（アーティスト写真）、静止画クーポンのデータなどが配置される。
【００３９】
テキストデータとしては、例えば、正式曲データの内容を認識するのに役立つ、その曲のタイトルや歌手名、レコード会社名、さらには、その歌手のエピソード、最新情報などが配置される。従って、本実施の形態では、多少冗長ではあるが、曲のタイトルや、歌手名などは、ブックマーク部と完結部との両方に配置される場合がある。
【００４０】
その他のデータとしては、宣伝のためのセールスプロモーションに関するデータや広告のためのデータなどが配置される。
【００４１】
ここで、ブックマーク部または完結部に配置されるデータを、以下、適宜、それぞれブックマークデータまたはデータ放送用コンテンツという。
【００４２】
なお、図３では、データ放送のためのチャンネルを１チャンネルとしてあるが、データ放送のためのチャンネルを２チャンネルとし、そのうちの１のチャンネルでブックマーク部に配置されるデータを、他の１のチャンネルで完結部に配置されるデータ放送用コンテンツを、それぞれ同時に送信するようにすることも可能である。
【００４３】
次に、図４は、図１の放送局を構成する送信装置１の構成例を示している。
【００４４】
マイク１１には、アナウンサの音声（ＤＪ（ディスクジョッキ）音声）が入力されるようになされており、そのＤＪ音声は、電気信号としての音声信号に変換され、信号処理部１３に供給される。また、信号処理部１３には、ストレージ１２に記憶されたデータも供給される。
【００４５】
即ち、ストレージ１２には、ＥＭＤサーバ５から、本放送に用いる曲のデータ（正式曲データである場合もある）や、データ放送に用いる圧縮暗号化データ、ジャケット写真などが供給されて記憶されるようになされており、信号処理部１３には、それらのデータが、必要に応じて供給されるようになされている。
【００４６】
さらに、信号処理部１３には、本放送で放送される広告や宣伝の音声（いわゆるコマーシャル）（広告音声）なども供給されるようになされている。
【００４７】
信号処理部１３では、そこに供給されるデータが信号処理され、これにより、本放送データが配置された音楽フレームとデータ放送データが配置されたデータフレームとが生成される。この本放送データの音楽フレームまたはデータ放送データのデータフレームは、ＥＣＣ回路１４または１５にそれぞれ供給され、ＥＣＣが付加されて、ＭＵＸ（マルチプレクサ）１６に供給される。
【００４８】
ＭＵＸ１６では、本放送データとデータ放送データとが多重化され、その結果得られる多重化データが、ディジタル変調回路１７に供給される。ディジタル変調回路１７では、ＭＵＸ１６からの多重化データに対して、例えば、ＱＰＳＫ（Quadrature Phase Shift Keying）やＱＡＭ（Quadrature Amplitude Modulation）などのディジタル変調処理が施され、その結果得られる変調信号が、送信機１８に供給される。送信機１８では、ディジタル変調回路１７からの変調信号に対して、増幅その他の必要な処理が施され、アンテナ１９から電波として送信される。
【００４９】
次に、図５は、図１のユーザ端末３の第１の構成例を示している。
【００５０】
上述したようにして、送信装置１から送信されてくる電波は、アンテナ２１で受信され、その受信信号は、ディジタルラジオチューナ２２に供給される。ディジタルラジオチューナ２２は、アンテナ２１からの受信信号を受信し、受信制御部２２Ａの制御にしたがって、所定のチャンネルの受信信号を検波して、ディジタル復調回路２３に供給する。ディジタル復調回路２３は、ディジタルラジオチューナ２２の出力をディジタル復調し、その結果得られる多重化データを、ＤＭＵＸ（デマルチプレクサ）２４に出力する。
【００５１】
ＤＭＵＸ２４は、ディジタル復調回路２３からの多重化データを、本放送データとデータ放送データとに分離する。本放送データまたはデータ放送データは、ＥＣＣ回路２５または２６にそれぞれ供給される。ＥＣＣ回路２５または２６それぞれは、本放送データまたはデータ放送データに対して、誤り検出または訂正処理を施し、信号処理部２７に供給する。
【００５２】
ここで、ＥＣＣ回路２６は、ＤＭＵＸ２４からのデータ放送データを、ＲＡＭ２６Ａに一時記憶させてから処理を行うようになされている。そして、ＲＡＭ２６Ａは、例えば、少なくとも、１つのデータフレーム（図３）のデータを記憶することができるだけの記憶容量を有しており、また、ＤＭＵＸ２４から新たなデータフレームを受信するごとに、最も古いデータフレームを消去する（最も古いデータフレームを、新たなデータフレームに更新する）ようになされている。
【００５３】
例えば、ユーザが、ユーザ端末３を携帯している場合や、また、ユーザ端末３が自動車に搭載されている場合には、トンネル内などで、送信装置１からの電波の受信が一時的に途切れることがある。このような場合であっても、ユーザ端末３において、データフレームのブックマーク部のデータを利用することができるように、ＲＡＭ２６Ａは、一時、データ放送データを記憶するようになされている。
【００５４】
ここで、送信装置１からの電波の受信が一時的に途切れたかどうかは、例えば、データフレームのフレームナンバ（図３）が連続しているかどうかや、ＥＯＦを受信したかどうか、あるいは、電波のレベルなどに基づいて判定することができる。
【００５５】
また、上述の場合においては、ＲＡＭ２６Ａに、ＤＭＵＸ２４からのデータ放送データを一時記憶させてから、ＥＣＣ回路２６において、その誤り検出または訂正処理を行うようにしたが、ＲＡＭ２６Ａには、ＥＣＣ回路２６によって誤り検出または訂正処理が施された後のデータ放送データを一時記憶させるようにすることも可能である。
【００５６】
信号処理部２７では、ＥＣＣ回路２５または２６それぞれからの本放送データまたはデータ放送データに、所定の信号処理が施される。そして、本放送データは、Ｄ／Ａ（Digital/Analog）変換器２８に供給され、Ｄ／Ａ変換された後、スピーカ２９に供給されて出力される。
【００５７】
また、データ放送データのうち、音声として出力可能なデータも、必要に応じて、本放送データと同様にして、スピーカ２９から出力される。さらに、データ放送データのうち、表示可能なデータは、必要に応じて、表示装置３０に供給されて表示される。
【００５８】
操作部３１は、所定の場合に、ユーザによって操作される。操作部３１の操作に対応した操作信号は、信号処理部２７に供給され、信号処理部２７は、この操作信号に対応して所定の処理を行う。即ち、例えば、操作部３１が、復号キーを要求するように操作された場合には、信号処理部２７は、モデム（またはターミナルアダプタ等）３２を制御することにより、インターネット４を介して、ＥＭＤサーバ５とのリンクを確立させ、復号キーを要求する。さらに、信号処理部２７は、その要求に応じて、ＥＭＤサーバ５から送信されてくる復号キーを、モデム３２を介して受信する。
【００５９】
次に、図６は、図１のＥＭＤサーバ５の構成例を示している。
【００６０】
データベース４１には、ＥＭＤサービス業者が管理する曲の正式曲データや、ＩＳＲＣ、ジャケット写真のデータ、アーティスト写真のデータ、正式曲データの圧縮暗号化データ、その復号のための復号キー、ＥＭＤリンクとなる情報、広告のデータ、広告されている商品の詳細情報などが記憶されており、そのうちの、本放送およびデータ放送で用いられるものが、放送局の送信装置１に供給される。
【００６１】
一方、モデム（またはターミナルアダプタ等）４３は、インターネット４を介しての通信制御を行うようになされており、ユーザ端末３から、復号キーの要求が送信されてくると、それを受信し、制御部４２に供給する。制御部４２は、復号キーの要求を受信すると、課金処理部４４を制御することにより、課金処理を行わせる。さらに、制御部４２は、要求された復号キーを、データベース４１から読み出し、モデム４３に送信させる。なお、制御部４２は、復号キーの要求とともに、圧縮暗号化データの要求も受信した場合には、その圧縮暗号化データも、データベース４１から読み出し、モデム４３に送信させる。
【００６２】
次に、図７は、図４の送信装置１における信号処理部１３の構成例を示している。
【００６３】
アンプ５１には、マイク１１（図４）からのＤＪ音声が供給されるようになされており、アンプ５１は、その音声信号を増幅して、Ａ／Ｄ（Analog/Digital）変換器５２に供給するようになされている。Ａ／Ｄ変換器５２は、アンプ５１からのアナログの音声信号をＡ／Ｄ変換することにより、ディジタルの音声データとし、ミキサ５３に供給するようになされている。ミキサ５３には、ＤＪ音声の他、本放送データを構成する曲や、広告、ジングルなどのデータ（ここでは、ディジタルデータ）も供給されるようになされており、ミキサ５３は、それらの音声をミキシングすることにより、本放送データを構成し、データ圧縮部５４に供給するようになされている。データ圧縮部５４は、ミキサ５３の出力を、例えば、ＭＰＥＧ方式によって圧縮し、同期調整回路５５に供給するようになされている。
【００６４】
同期調整回路５５には、データ圧縮部５４から本放送データが供給される他、ブックマークデータと、ＭＵＸ５８の出力も供給されるようになされている。そして、同期調整回路５５は、ブックマークデータとＭＵＸ５８の出力とから、データ放送データを構成するようになされている。さらに、同期調整回路５５は、本放送データを配置した音楽フレームと、データ放送データを配置したデータフレームを構成し、それらの同期をとって出力するようになされている。
【００６５】
なお、同期調整回路５５は、メモリ５５Ａを有しており、メモリ５５Ａは、１の番組（曲）についてのブックマークデータを一時記憶するようになされている。同期調整回路５５は、ある番組のデータ放送データのデータフレームには、メモリ５５Ａに記憶された、その番組についてのブックマークデータを配置することで、その番組を構成する各データフレームのブックマーク部に、同一のブックマークデータを配置するようになされている。
【００６６】
データ圧縮部５６には、データ放送用コンテンツのうちの音声データ（例えば、上述したように、圧縮暗号化データやサンプル音声など）が供給されるようになされており、データ圧縮部５６は、そこに供給される音声データを、例えば、ＡＴＲＡＣ２方式などで圧縮し、ＭＵＸ５８に供給するようになされている。なお、音声データのうち、例えば、圧縮暗号化データは、既に、ＡＴＲＡＣ２方式などで圧縮されており、このように既に圧縮されている音声データは、データ圧縮部５６をスルーして、そのままＭＵＸ５８に供給されるようになされている。
【００６７】
データ圧縮部５７には、データ放送用コンテンツのうちの画像データ（例えば、ジャケット写真や、アーティスト写真、静止画クーポンのデータなど）が供給されるようになされており、データ圧縮部５７は、そこに供給される画像データを、例えば、ＪＰＥＧ（Joint Photographic Experts Group）方式などで圧縮し、ＭＵＸ５８に供給するようになされている。
【００６８】
ＭＵＸ５８には、データ圧縮部５６および５７の出力の他、データ放送用コンテンツのうちのテキストデータおよびその他のデータも供給されるようになされており、ＭＵＸ５８は、そこに供給されるデータ放送用コンテンツを多重化して、同期調整回路５５に供給するようになされている。なお、テキストデータやその他のデータについても、その圧縮を行ってから、ＭＵＸ５８に供給するようにすることが可能である。
【００６９】
次に、図８のフローチャートを参照して、図７の信号処理部１３の処理について説明する。
【００７０】
マイク１１からのＤＪ音声は、アンプ５１で増幅され、Ａ／Ｄ変換器５２においてディジタル信号とされ、ミキサ５３に供給される。ミキサ５３には、ＤＪ音声の他、本放送データを構成する曲や、広告、ジングルなどのデータも供給され、そこでミキシングが行われることにより、本放送データが構成され、データ圧縮部５４に供給される。データ圧縮部５４は、ミキサ５３からの本放送データを圧縮し、同期調整回路５５に供給する。
【００７１】
一方、データ圧縮５６または５７では、データ放送用コンテンツのうちの音声データまたは画像データがそれぞれ圧縮され、ＭＵＸ５８に供給される。ＭＵＸ５８には、データ圧縮部５６および５７の出力の他、データ放送用コンテンツのうちのテキストデータおよびその他のデータも供給され、そこでは、それらのデータが多重化され、同期調整回路５５に供給される。
【００７２】
同期調整回路５５には、本放送データ、およびＭＵＸ５８の出力の他、その本放送データの番組についてのブックマークデータも供給される。そして、同期調整回路５５は、ブックマークデータとＭＵＸ５８の出力とから、データ放送データを構成し、本放送データを構成する音楽フレームと、データ放送データを構成するデータフレームとの同期をとって出力する。
【００７３】
即ち、同期調整回路５５は、ある番組のブックマークデータを受信すると、図８のフローチャートに示すように、まず最初に、ステップＳ１において、そのブックマークデータを、メモリ５５Ａに記憶させ、ステップＳ２に進み、番組を構成する音楽フレームおよびデータフレームの数をカウントするための変数ｉに、初期値としての、例えば、１をセットして、ステップＳ３に進む。
【００７４】
ステップＳ３では、本放送データを用いて音楽フレーム＃ｉが構成されるとともに、メモリ５５Ａに記憶されたブックマークデータの後に、ＭＵＸ５８の出力データが所定量だけ配置されることによりデータフレーム＃ｉが構成され、ステップＳ４に進む。ステップＳ４では、音楽フレーム＃ｉとデータフレーム＃ｉとが、同期をとって同時に出力され、ステップＳ５に進む。
【００７５】
ステップＳ５では、番組としての、本放送で放送される曲が終了したかどうかが判定され、まだ終了していないと判定された場合、ステップＳ６に進み、変数ｉが１だけインクリメントされる。そして、ステップＳ３に戻り、以下、同様の処理が繰り返される。
【００７６】
また、ステップＳ５において、番組としての、本放送で放送される曲が終了したと判定された場合、本放送データおよびデータ放送データとして、ＥＯＦを出力し、次の番組についてのブックマークデータが供給されるのを待って、ステップＳ１に戻る。
【００７７】
従って、本放送データとしての番組が極端に短い時間で終了するものであるような特殊な場合を除いて、その番組の本放送データの送信が行われている間、その番組についてのブックマークデータは、各データフレームに配置されることにより周期的に送信される。その結果、ユーザ端末３において、ある番組についてのブックマークデータの取りこぼしを極力少なくすることが可能となる。
【００７８】
次に、図９は、図５のユーザ端末３における信号処理部２７の構成例を示している。
【００７９】
ＥＣＣ回路２５（図５）からの本放送データは、データ伸張部６１に供給されるようになされており、データ伸張部６１は、その本放送データを伸張し、Ｄ／Ａ変換器２８（図５）に供給するようになされている。
【００８０】
ＥＣＣ回路２６（図５）からのデータ放送データは、ＤＭＵＸ６２に供給されるようになされており、ＤＭＵＸ６２は、データ放送用データを、ブックマークデータと、データ放送用コンテンツとに分離するようになされている。さらに、ＤＭＵＸ６２は、データ放送用コンテンツを、表示可能なデータ（以下、適宜、表示データという）、サンプル音声、圧縮暗号化データなどに分離し、ブックマークデータとともに、セレクタ６３に供給するようになされている。
【００８１】
セレクタ６３は、メモリ６３Ａを有しており、そのメモリ６３Ａに、ＤＭＵＸ６３の出力を一時記憶するようになされている。さらに、セレクタ６３は、操作部３１（図５）の操作にしたがって、メモリ６３Ａに記憶されたデータのうちのいずれかを選択し、データ伸張部７０を介して表示装置３０（図５）に供給したり、ストレージ６４に供給したりするようになされている。なお、表示装置３０には、基本的に、表示データ（例えば、曲のタイトル（曲名）や、アーティスト名（歌手名）、ジャケット写真など）が、ストレージ６４には、基本的に、ブックマークデータやサンプル音声、圧縮暗号化データなどが、それぞれ供給されるようになされている。
【００８２】
ストレージ６４は、セレクタ６３から供給されるブックマークデータやサンプル音声、圧縮暗号化データなどを記憶するようになされている。さらに、ストレージ６５は、ダウンロード処理部６５から供給される復号キーなども記憶するようになされている。ここで、ストレージ６４は、ユーザ端末３に内蔵させることも可能であるが、容易に着脱可能な、例えば、メモリカードなどで構成することも可能である。ストレージ６４をメモリカードなどとした場合には、図１で説明したように、そのメモリカードを、販売店に持っていって、圧縮暗号化データおよびその復号キーの提供を受けるようなときに、携帯に便利となる。
【００８３】
ダウンロード処理部６５は、操作部３１が、復号キーや圧縮暗号化データのダウンロードを要求するように操作されたときに、モデム３２（図５）を制御し、インターネット４を介して、ＥＭＤサーバ５に対し、そのダウンロードの要求を行うようになされている。個人情報記憶部６６は、復号キーや圧縮暗号化データのダウンロードの際に行われる課金処理に必要なユーザの個人情報としての、ユーザの氏名や住所、電話番号、クレジットカードの番号あるいは銀行口座の番号などを記憶している。この個人情報は、ダウンロード処理部６５が復号キーや圧縮暗号化データのダウンロードの要求を行うときに、その要求とともに送信されるようになされている。
【００８４】
再生制御部６７は、ストレージ６４に記憶されたデータを再生し、復号器６８に供給するようになされている。復号器６８は、再生制御部６７から圧縮暗号化データと復号キーが供給されたとき、その復号キーを用いて、圧縮暗号化データを復号し、その結果得られる、圧縮された正式曲データを、データ伸張部６９に供給するようになされている。また、復号器６８は、再生制御部６７からサンプル音声が供給されたとき、そのサンプル音声を、そのままデータ伸張部６９に供給するようになされている。
【００８５】
データ伸張部６９は、復号器６８から供給される正式曲データやサンプル音声が圧縮されているとき、その圧縮された正式曲データやサンプル音声を伸張して、Ｄ／Ａ変換器２８（図５）に供給するようになされている。データ伸張部７０は、セレクタ６３から供給される表示データが圧縮されているとき、その圧縮された表示データを伸張して、表示装置３０に供給するようになされている。なお、データ伸張部６９および７０は、そこに供給されるデータが圧縮されていないときは、そのデータをそのまま出力するようになされている。
【００８６】
次に、図１０のフローチャートを参照して、図９の信号処理部２７の処理について説明する。
【００８７】
ＥＣＣ回路２５からの本放送データは、データ伸張部６１に供給され、データ伸張部６１は、その本放送データを伸張し、Ｄ／Ａ変換器２８を介して、スピーカ２９に供給する。これにより、本放送は、スピーカ２９から出力される。
【００８８】
一方、ＥＣＣ回路２６からのデータ放送データは、ＤＭＵＸ６２に供給され、そこで、ブックマークデータと、データ放送用コンテンツとに分離される。さらに、ＤＭＵＸ６２では、データ放送用コンテンツが、表示データ、サンプル音声、圧縮暗号化データなどに分離され、ブックマークデータとともに、セレクタ６３に供給される。
【００８９】
セレクタ６３は、ＤＭＵＸ６３からのデータを、メモリ６３Ａに一時記憶し、以後、その記憶内容を、ＤＭＵＸ６３から新たに供給されるデータに、順次更新していく。即ち、メモリ６３Ａでは、ブックマークデータについては、例えば、データフレームごとに更新され、データ放送用コンテンツについては、例えば、本放送による１曲の放送が終了するごとに更新されていく。
【００９０】
そして、図１０のフローチャートに示すように、まず最初に、ステップＳ１１において、操作部３１が表示データを出力するように操作されたか否かが判定され、そのように操作されたと判定された場合、ステップＳ１２に進み、セレクタ６３は、メモリ６３Ａに記憶された表示データを読み出し、データ伸張部７０を介して表示装置３０に供給して、ステップＳ１１に戻る。これにより、表示装置３０では、例えば、いま本放送で放送されている曲についてのジャケット写真や、アーティスト写真、タイトル、歌手名などが表示される。
【００９１】
また、ステップＳ１１において、操作部３１が表示データを出力するように操作されていないと判定された場合、ステップＳ１３に進み、操作部３１がブックマーク操作されたか否かが判定される。ステップＳ１３において、操作部３１がブックマーク操作されたと判定された場合、即ち、本放送で放送されている曲に興味があり（興味がわき）、ユーザが、その曲に、いわばブックマークを付けるような操作をした場合、ステップＳ１４に進み、セレクタ６３は、メモリ６３Ａに記憶されたブックマークデータ、サンプル音声、圧縮暗号化データなどを読み出し、ストレージ６４に供給して記憶させ、ステップＳ１１に戻る。即ち、これにより、ストレージ６４には、操作部３１がブックマーク操作されたときに本放送で放送されていた曲についてのブックマークデータ、サンプル音声、圧縮暗号化データなどが記憶（記録）される。
【００９２】
ここで、上述したように、メモリ６３Ａでは、データ放送用コンテンツについては、本放送による１曲の放送が終了するごとに更新されていくため、ある曲のサンプル音声や圧縮暗号化データなどは、その曲の本放送が行われている間に、操作部３１がブックマーク操作された場合には、ストレージ６４に保持されるが、ブックマーク操作されなかった場合には、ユーザ端末３から消去される。
【００９３】
一方、ステップＳ１３において、操作部３１がブックマーク操作されていないと判定された場合、ステップＳ１５に進み、操作部３１がサンプル音声を出力するように操作されたか否かが判定される。ステップＳ１５において、操作部３１がサンプル音声を出力するように操作されたと判定された場合、ステップＳ１６に進み、再生制御部６７は、ストレージ６４から、そこに記憶されたサンプル音声を読み出し、復号器６８、データ伸張部６９、およびＤ／Ａ変換器２８を介して、スピーカ２９に供給し、ステップＳ１１に戻る。これにより、スピーカ２９からは、サンプル音声が出力される。
【００９４】
ここで、操作部３１がブックマーク操作されることにより、ある曲についての圧縮暗号化データがストレージ６４に記憶された場合であっても、ユーザが、その曲が、どのような曲であったか忘れてしまうことがある。そこで、そのような場合に、上述したようにして、サンプル音声を再生して聴くことで、どのような曲であったかを思い出すことができる。
【００９５】
一方、ステップＳ１５において、操作部３１がサンプル音声を出力するように操作されていないと判定された場合、ステップＳ１７に進み、操作部３１が復号キーのダウンロードを要求するダウンロード操作されたか否かが判定される。ステップＳ１７において、操作部３１がダウンロード操作されたと判定された場合、ステップＳ１８に進み、ダウンロード処理部６５は、復号キーのダウンロード処理を行う。
【００９６】
即ち、例えば、いま、ＥＭＤサーバ５において、ある正式曲データの圧縮暗号化データの復号キーのファイルが、その正式曲データのＩＳＲＣをファイル名として管理されており、ブックマークデータのうちのＥＭＤリンクが、その正式曲データを管理しているＥＭＤサーバ５のホスト名を表しているとすると、ダウンロード処理部６５は、ストレージ６４に記憶されているブックマークデータのうちのＥＭＤリンクをホスト名とするとともに、そのうちのＩＳＲＣをファイル名としてＵＲＬを構成する。さらに、ダウンロード処理部６５は、そのＵＲＬに基づいて、モデム３２を制御することにより、ＥＭＤサーバ５との通信リンクを確立させ、個人情報記憶部６６から個人情報を読み出し、復号キーの要求とともに、ＥＭＤサーバ５に送信する。
【００９７】
ＥＭＤサーバ５は、復号キーの要求と個人情報とを受信すると、その個人情報に基づいて、課金処理を行い、要求された復号キーを、ユーザ端末３に送信する。ユーザ端末３では、このようにしてＥＭＤサーバ５から送信されてくる復号キーが、モデム３２を介して、ダウンロード処理部６５で受信される。
【００９８】
ダウンロード処理部６５は、復号キーを受信すると、ステップＳ１９に進み、その復号キーを、ストレージ６４に供給して記憶させ、ステップＳ１１に戻る。
【００９９】
なお、操作部３１がダウンロード操作された場合に、ストレージ６４にブックマークデータが記憶されていないときには、ユーザ端末３では、ステップＳ１８およびＳ１９の処理が行われる替わりに、例えば、その旨が、スピーカ２９から出力され、あるいは表示装置３０に表示されるようになされている。
【０１００】
一方、ステップＳ１７において、操作部３１がダウンロード操作されていないと判定された場合、ステップＳ２０に進み、操作部３１が曲を再生するように操作（以下、適宜、再生操作という）されたか否かが判定される。ステップＳ２０において、操作部３１が再生操作されたと判定された場合、ステップＳ２１に進み、再生制御部６７において、曲の再生が開始され、ステップＳ１１に戻る。
【０１０１】
即ち、再生制御部６７は、ストレージ６４から、そこに記憶された圧縮暗号化データと復号キーを読み出し、復号器６８に供給する。復号器６８は、再生制御部６７からの復号キーを用いて、同じく再生制御部６７からの圧縮暗号化データを復号し、その復号データを、データ伸張部６９に供給する。データ伸張部６９では、復号器６８からの復号データが、正式曲データに伸張され、Ｄ／Ａ変換器２８を介して、スピーカ２９に供給される。これにより、スピーカ２９からは、例えば、ＣＤを再生した場合と同様の曲が出力される。
【０１０２】
なお、復号器６８において復号されたデータや、データ伸張部６９において伸張されたデータは、図示せぬ出力端子から出力し、外部の機器で記録や再生等をするようにすることが可能である。
【０１０３】
一方、ステップＳ２０において、操作部３１が再生操作されていないと判定された場合、ステップＳ１１に戻る。
【０１０４】
なお、操作部３１が再生操作された場合に、ストレージ６４に圧縮暗号化データや復号キーが記憶されていないときには、ユーザ端末３では、ステップＳ２１の処理が行われる替わりに、例えば、その旨が、スピーカ２９から出力され、あるいは表示装置３０に表示されるようになされている。
【０１０５】
また、操作部３１が再生操作された場合に、ストレージ６４に圧縮暗号化データおよび復号キーが複数セット記憶されているときには（操作部３１がサンプル音声を出力するように操作された場合に、ストレージ６４に複数のサンプル音声が記憶されているときも同様）、例えば、その複数の圧縮暗号化データに対応する曲のタイトルや歌手名などの一覧が、表示装置３０において表示され、これにより、いずれの圧縮暗号化データを再生するかを、ユーザが選択することができるようになされている。なお、圧縮暗号化データに対応する曲のタイトル等は、ストレージ６４に記憶されているブックマークデータを参照することで認識することができる。
【０１０６】
以上のように、送信装置１では、本放送で放送された曲の圧縮暗号化データを復号するための復号キーを入手するために必要なブックマークデータを配置して、データ放送用データが構成され、本放送データの送信を行っている間に、その本放送データで放送されている曲の圧縮暗号化データを復号するための復号キーを入手するために必要なブックマークデータが配置されたデータ放送データが複数回送信される。一方、ユーザ端末３では、本放送データおよびデータ放送データが受信され、操作部３１がブックマーク操作された場合に、そのとき受信されたデータ放送データに含まれているブックマークデータが、ストレージ６４に記憶される。
【０１０７】
従って、ユーザは、所望の曲についての正式曲データを、ブックマークデータに基づき、容易に入手することができる。
【０１０８】
なお、上述の場合においては、データ放送において、圧縮暗号化データを放送し、ＥＭＤサーバ５には、その復号に用いる復号キーを要求するようにしたが、データ放送では、圧縮暗号化データを放送せず（但し、放送してもかまわない）、ＥＭＤサーバ５に対して、圧縮暗号化データとその復号のための復号キーとのセットを要求するようにすることも可能である。あるいは、また、ＥＭＤサーバ５に対しては、暗号化されていない正式曲データを要求するようにすることも可能である。
【０１０９】
さらに、本実施の形態では、データ放送データをラジオ放送によって放送するようにしたが、データ放送データは、その他、例えば、テレビジョン放送などによって放送することも可能である。テレビジョン放送による場合においては、そのテレビジョン放送で放送された映画などの画像データを提供する他（音声データを提供するサービスを、上述したように、ＥＭＤサービスというとすれば、画像データを提供するサービスは、ＥＶＤ（Electric Video Distribution）ということができる）、例えば、テレビジョン放送において、ゲームソフトのある場面が放送されたときには、そのゲームソフト（コンピュータプログラム）を提供することなどが可能である。また、例えば、書籍データ（例えば、いわゆる電子ブックのデータ）を提供するサービスなどを行うことなども可能である。
【０１１０】
さらに、本実施の形態では、伝送媒体２（図１）として地上波を利用することとしたが、伝送媒体２としては、その他、例えば、衛星回線や、インターネット、ＣＡＴＶ（Cable Television）網などを採用することが可能である。
【０１１１】
ところで、ユーザ端末３は、それ自体単独の装置とすることも可能であるが、例えば、図１１（Ａ）に示すように、オーディオ機器のコンポーネント製品であるオーディオシステムに組み込むことも可能である。
【０１１２】
さらに、本放送データおよびデータ放送データが、上述したように、地上波、衛星回線、ＣＡＴＶ網等を用いたテレビジョン放送によって行われる場合において、ユーザ端末３を、そのようなテレビジョン放送を受信する受信装置（チューナ等）として構成したときには、そのユーザ端末３は、やはり、それ自体単独の装置とすることも可能であるが、例えば、図１１（Ｂ）に示すように、テレビジョン受像機に組み込むことも可能である。また、この場合、ユーザ端末３は、例えば、図１１（Ｃ）や図１１（Ｄ）に示すように、ＩＲＤ（Integrated Receiver and Decoder）やＳＴＢ（Set Top Box）に組み込むことなども可能である。
【０１１３】
そして、ユーザ端末３が、それ自体単独の装置である場合は勿論、図１１に示したように、他の装置に組み込まれている場合であっても、ユーザ端末３は、それが備える操作部３１（図５）によって制御（操作）することが可能であるが、ユーザ端末３が、オーディオシステム等に組み込まれている場合には、図１１に示すように、その制御は、操作部３１の他、例えば、オーディオシステム等を遠隔制御するリモートコマンダ（以下、適宜、リモコンという）によって行うことができるようにすることが可能である。
【０１１４】
さらに、リモコンにおいては、信号処理部２７（図９）が有するストレージ６４に記憶された各種のデータを送信するように、ユーザ端末３を遠隔制御し、これにより、ユーザ端末３から送信されてくるデータを受信して記憶するようにすることが可能である。
【０１１５】
また、このようにして、リモコンにおいて記憶されたデータは、図１２に示すように、パーソナルコンピュータ（ＰＣ）や、あるいは、例えば、ＳＴＢや、ＩＲＤ、テレビジョン受像機、オーディオシステム、ビデオテープレコーダその他のＡＶ（Audio Visual）機器（コンシューマエレクトリニクスデバイス（Consumer Electronics Device））に転送するようにすることが可能である。即ち、リモコンにおいて記憶されたデータは、例えば、図１２（Ａ）に示すように、ＩｒＤＡ（Infrared Data Association）の規格に準拠した赤外線等の無線による通信によって、パーソナルコンピュータやＡＶ機器に転送するようにすることができる。また、例えば、図１２（Ｂ）に示すように、ＵＳＢ（Universal Serial Bus）や、ＲＳ２３２Ｃ、ＩＥＥＥ（Institute of Electrical and Electronics Enginners）１３９４の規格に準拠した有線による通信によって転送するようにすることもできる。さらに、リモコンにおいて、ユーザ端末３からのデータを記憶するメモリ等が着脱可能なメモリカードその他である場合には、図１２（Ｃ）に示すように、そのメモリを、ユーザ端末３から取り外し、パーソナルコンピュータやＡＶ機器に装着することによって、データを転送（移行）するようにすることもできる。
【０１１６】
そこで、図１３は、リモコンによって遠隔制御が可能なユーザ端末３の構成例を示している。なお、図中、図５における場合と対応する部分については、同一の符号を付してあり、以下では、その説明は、適宜省略する。即ち、図１３のユーザ端末３は、リモコンＩ／Ｆ（Interface）３３が新たに設けられている他は、図５における場合と同様に構成されている。
【０１１７】
リモコンＩ／Ｆ３３は、リモコンとの間で、赤外線等による通信を行うためのインターフェイスとして機能するようになされており、リモコンから送信されてくる赤外線を受光し、光電変換することで電気信号に変換するようになされている。さらに、リモコンＩ／Ｆ３３は、その電気信号にしたがって、信号処理部２７その他のブロックを制御するようになされている。
【０１１８】
また、リモコンＩ／Ｆ３３は、リモコンから、信号処理部２７が有するストレージ６４に記憶されたデータの送信を要求された場合、ストレージ６４からデータを読み出し、赤外線によって、そのデータを、リモコンに送信するようにもなされている。
【０１１９】
次に、図１４は、図１３に示したように構成されるユーザ端末３を遠隔操作するリモコンの構成例を示している。
【０１２０】
操作部８１は、各種の指令を与えるためのボタン等を有し、ユーザによって操作されると、その操作に対応する操作信号を、制御部８２に出力するようになされている。制御部８２（制御手段）は、操作部８１からの操作信号に対応して、赤外線発光部８３や、通信Ｉ／Ｆ８６を制御するようになされている。赤外線発光部８３（送信手段）は、制御部８２の制御にしたがい、各種の信号を、例えば、ＩｒＤＡ等の規格に準拠した赤外線によって、ユーザ端末３（図１３）のリモコンＩ／Ｆ３３に送信するようになされている。赤外線受信部８４（受信手段）は、リモコンＩ／Ｆ３３からの赤外線を受信して光電変換し、その結果得られるデータを、着脱可能メモリ８５に供給して記憶させるようになされている。
【０１２１】
着脱可能メモリ８５（記憶手段）は、例えば、着脱可能なメモリカードなどで構成されており、赤外線受信部８４からのデータを記憶するようになされている。なお、着脱可能メモリ８５は、所定の規格のもので、リモコンに着脱可能なほか、パーソナルコンピュータやＡＶ機器などにも着脱可能になっている。また、メモリ８５は、着脱可能でないメモリによって構成することも可能である。
【０１２２】
通信Ｉ／Ｆ８６（送信手段）は、例えば、ＵＳＢや、ＲＳ２３２Ｃ，ＩＥＥＥ１３９４等の規格に準拠した通信インターフェイスとして機能するようになされており、制御部８２の制御にしたがい、パーソナルコンピュータやＡＶ機器等の外部の装置との間で、データのやりとりを行うようになされている。
【０１２３】
以上のように構成されるリモコンにおいては、操作部８１が、ユーザ端末３を制御するように操作されると、その操作に対応する操作信号が、制御部８２に出力される。制御部８２は、操作部８１から操作信号を受信すると、その操作信号を送信するように、赤外線発光部８３を制御する。これにより、赤外線発光部８３からは、操作部８１の操作に対応した操作信号が、赤外線で送信される。
【０１２４】
この赤外線は、ユーザ端末（図１３）のリモコンＩ／Ｆ３３で受信され、以下、リモコンＩ／Ｆ３３において、上述したように処理される。
【０１２５】
従って、操作部８１を操作することによる操作信号が、ストレージ６４に記憶されたデータの送信を要求するものである場合、リモコンＩ／Ｆ３３では、その要求されたデータ（ＥＭＤリンク等）が、ストレージ６４から読み出され、赤外線によって、リモコンに送信される。
【０１２６】
リモコンでは、この赤外線が、赤外線受信部８４で受信され、光電変換されることにより、元のデータとされる。このデータは、赤外線受信部８４から着脱可能メモリ８５に供給されて記憶される。
【０１２７】
以上のようにして、ストレージ６４に記憶されたデータが、リモコンに転送され、着脱可能メモリ８５に記憶された後は、図１２（Ｃ）に示したように、その着脱可能メモリ８５を、リモコンから取り外し、パーソナルコンピュータやＡＶ機器に装着することによって、そのパーソナルコンピュータやＡＶ機器に、データを転送することができる。
【０１２８】
また、ストレージ６４に記憶されたデータが、リモコンに転送され、着脱可能メモリ８５に記憶された後に、操作部８１が、そのデータを、パーソナルコンピュータやＡＶ機器に転送するように操作された場合には、制御部８２において、着脱可能メモリ８５に記憶されたデータが読み出される。そして、赤外線発光部８３または通信Ｉ／Ｆ８６が、そのデータを、パーソナルコンピュータやＡＶ機器に送信するように制御される。
【０１２９】
即ち、この場合、赤外線発光部８３では、図１２（Ａ）に示したように、着脱可能メモリ８５から読み出されたデータが、赤外線によって、パーソナルコンピュータやＡＶ機器に送信される。また、通信Ｉ／Ｆ８６では、図１２（Ｂ）に示したように、着脱可能メモリ８５から読み出されたデータが、ＵＳＢ等の規格にしたがって、パーソナルコンピュータやＡＶ機器に送信される。
【０１３０】
以上のように、ユーザ端末３を遠隔制御を行うリモコンを、いわば媒介とすることで、ユーザ端末３に記憶されたデータを、容易に、パーソナルコンピュータやＡＶ機器その他の外部の装置に転送することが可能となり、その結果、様々なアプリケーションを提供することが可能となる。
【０１３１】
即ち、ユーザ端末３のストレージ６４に記憶されたデータを、パーソナルコンピュータに転送した場合には、パーソナルコンピュータにおいて、ストレージ６４に記憶されたデータを、キーボード等を操作して新たに入力しなくても、管理することが可能となる。
【０１３２】
さらに、最近のパーソナルコンピュータは、インターネット４（図１）等を介しての通信機能を有しているものが多く、そのようなパーソナルコンピュータにおいては、転送されてきたＥＭＤリンクを利用して、インターネット４（図１）を介してＥＭＤサーバ５にアクセスし、上述したようなサービスの提供を受けることが可能となる。また、ＥＭＤサーバ５が、例えば、ＷＷＷ（World Wide Web）サーバとしても機能する場合には、例えば、ＥＭＤリンク等に基づき、各種のホームページ（例えば、広告されている商品を購入するためのホームページや、その商品の詳細（追加情報）を紹介したホームページなど）を提供するようなサービスも可能となる。なお、このように、ユーザ端末３のストレージ６４に記憶されたデータを、パーソナルコンピュータに転送することは、ユーザ端末３（図５）がモデム３２を有していない場合に、特に有用である。
【０１３３】
さらに、以上の効果は、ＡＶ機器が、上述ようなパーソナルコンピュータと同様の通信機能を有している場合にも得ることができる。また、ＡＶ機器が、例えば、ユーザ端末３以外の他のユーザ端末である場合には、ユーザ端末３において取得した各種のデータを、容易に、他のユーザ端末に転送することができる。
【０１３４】
なお、本実施の形態では、正式曲データを暗号化した圧縮暗号化データや、生成用データを暗号化したものを提供するようにしたが、正式曲データや生成用データは暗号化せずに提供することも可能である。
【０１３５】
また、本実施の形態では、復号キーなどを、有料で提供するようにしたが、無料で提供することも可能である。
【０１３６】
さらに、本実施の形態では、操作部３１（図５）を操作することにより、信号処理部２７に対して所定の入力を与えるようにしたが、信号処理部２７に対しては、その他、例えば、音声によって所定の入力を与えるようにすることなども可能である。但し、その場合には、音声認識を行う音声認識装置が必要となる。
【０１３７】
また、本実施の形態では、ブックマークデータを、データフレームのブックマーク部に配置することにより周期的に送信するようにしたが、ブックマークデータは、必ずしも周期的に送信する必要はない。
【０１３８】
【発明の効果】
以上の如く、本発明の遠隔制御装置によれば、関連データを入手するための入手情報を送信するように、受信装置を制御することにより、受信装置から送信されてくる入手情報が受信されて記憶される。従って、ユーザは、その入手情報に基づいて、容易に関連データを得ることが可能となる。
【図面の簡単な説明】
【図１】本発明を適用したブックマークラジオシステムの一実施の形態の構成例を示すブロック図である。
【図２】本放送データおよびデータ放送データの伝送フォーマットを示す図である。
【図３】本放送データおよびデータ放送データのデータフォーマットを示す図である。
【図４】図１の送信装置１の構成例を示すブロック図である。
【図５】図１のユーザ端末３の構成例を示すブロック図である。
【図６】図１のＥＭＤサーバ５の構成例を示すブロック図である。
【図７】図４の信号処理部１３の構成例を示すブロック図である。
【図８】図７の同期調整回路５５の処理を説明するためのフローチャートである。
【図９】図５の信号処理部２７の構成例を示すブロック図である。
【図１０】図９の信号処理部２７の処理を説明するためのフローチャートである。
【図１１】ユーザ端末３が組み込まれた装置を示す図である。
【図１２】リモコンから外部の装置にデータを転送する形態を示す図である。
【図１３】リモコンによって遠隔制御されるユーザ端末３の構成例を示すブロック図である。
【図１４】図１３のユーザ端末３を遠隔制御するリモコンの構成例を示すブロック図である。
【符号の説明】
１  送信装置，  ２  伝送媒体，  ３  ユーザ端末，  ４  インターネット，５  ＥＭＤサーバ，  ６  課金サーバ，  １１  マイク（マイクロフォン），１２  ストレージ，  １３  信号処理部，  １４，１５  ＥＣＣ回路，  １６ＭＵＸ，  １７  ディジタル変調回路，  １８  送信機，  １９，２１  アンテナ，  ２２  ディジタルラジオチューナ，  ２２Ａ  受信制御部，  ２３  ディジタル復調回路，  ２４  ＤＭＵＸ，  ２５，２６  ＥＣＣ回路，  ２６Ａ  ＲＡＭ，  ２７  信号処理部，  ２８  Ｄ／Ａ変換器，  ２９  スピーカ，  ３０  表示装置，  ３１  操作部，  ３２  モデム，  ３３  リモコンＩ／Ｆ，  ４１  データベース，  ４２  制御部，  ４３  モデム，  ４４  課金処理部，５１  アンプ，  ５２  Ａ／Ｄ変換器，  ５３  ミキサ，  ５４  データ圧縮部，  ５５  同期調整回路，  ５５Ａ  メモリ，  ５６，５７  データ圧縮部，５８  ＭＵＸ，  ６１  データ伸張部，  ６２  ＤＭＵＸ，  ６３  セレクタ，  ６３Ａ  メモリ，  ６４  ストレージ，  ６５  ダウンロード処理部，  ６６  個人情報記憶部，  ６７  再生制御部，  ６８  復号器，  ６９，７０  データ伸張部，  ８１  操作部，  ８２  制御部，  ８３  赤外線発光部，  ８４赤外線受信部，  ８５  着脱可能メモリ，  ８６  通信Ｉ／Ｆ
【図１】
0004449093.tif 000002
【図２】
0004449093.tif 000003
【図３】
0004449093.tif 000004
【図４】
0004449093.tif 000005
【図５】
0004449093.tif 000006
【図６】
0004449093.tif 000007
【図７】
0004449093.tif 000008
【図８】
0004449093.tif 000009
【図９】
0004449093.tif 000010
【図１０】
0004449093.tif 000011
【図１１】
0004449093.tif 000012
【図１２】
0004449093.tif 000013
【図１３】
0004449093.tif 000014
【図１４】
0004449093.tif 000015